(57)【要約】【課題】先に成形されている容器に対し、次に成形される容器のスタッキングが円滑になされるよう、連結面部の押圧に抗して側面部を外方に向けて反り出させるにあたり、その反り出しが、自動製函機により成形される容器であっても確実になされる新規な紙製包装容器を提供する。【解決手段】側面部２の幅方向略中央に縦方向の折目５を刻設するだけで、連結面部３が貼り着けられた側面部２を、該連結面部３の押圧に抗して外側へ反り出すよう形成することができる。折目５はブランクＢに予め刻設され、容器成形の際に形成するものではないので、自動製函機による容器成形時に何等影響されることなく、ブランクＢが厚紙や段ボールのような芯を持つ材料であったとしても、側面部２が外側へ反り出すよう形成することができる。【選択図】  図１
2004345721.tif 000002
【特許請求の範囲】
【請求項１】
１枚のブランク（Ｂ）を折り曲げて成形される紙製包装容器（Ａ）であって、
底面部（１）と、該底面部（１）の外周各辺に折線（１ａ）を介して立ち上がる複数の側面部（２）と、該側面部（２）の側縁に折線（２ａ）を介して連設され、側面部（２）の外面に貼り着けて隣り合う側面部（２）同士を連結する連結面部（３，４）を備え、
少なくとも、前記連結面部（３，４）が貼り着けられる側面部（２）の幅方向略中央に縦方向の折目（５）を刻設して該側面部（２）が外側へ反り出すよう形成したことを特徴とする紙製包装容器。
【請求項２】
前記折目（５）の下端部（５’）を前記底面部の折線（１ａ）と離間して位置させると共に、該下端部（５’）と前記折線（１ａ）の両端角部（１ｃ，１ｃ）の間に折目（６，６）を刻設し、該折目（６，６）と前記折線（１ａ）とで囲まれる三角形状の区画面（７）により、前記側面部（２）に外側へ反り出す力が生じるよう形成した請求項１記載の紙製包装容器。
【請求項３】
前記底面部（１）の外周各辺の中間位置を外側へ突出させた中間頂角（１ｄ）を備え、該中間頂角（１ｄ）により、前記側面部（２）に外側へ反り出す力が生じるよう形成した請求項１記載の紙製包装容器。
【請求項４】
前記連結面部（３）が、隣り合う側面部（２，２）間にわたって連設され、且つ中央にある折線（３ａ）によって区分された一対の三角形状をなし、該連結面部（３，３）を折線（３ａ）において折り曲げるように重ねて外方へ突き出し且つ折り重ね状の連結面部（３，３）を折線（２ａ）に沿って折り曲げ、側面部（２）へ貼り着けて隣り合う側面部（２，２）同士を連結した請求項１〜３の何れか１項記載の紙製包装容器。
【請求項５】
前記底面部（１）に、該底面部の中心（１ｂ）から外方へ向けて放射状となる折目（８）を刻設し、前記中心（１ｂ）が頂点となるよう前記折目（８）に沿って底面部（１）を容器内側へ凹ませて上げ底状に形成した請求項１〜４の何れか１項記載の紙製包装容器。
【請求項６】
前記折目（８）が、底面部の中心（１ｂ）から前記中間頂角（１ｄ）にわたり放射状に刻設されている請求項５記載の紙製包装容器。
【請求項７】
前記底面部（１）が三角形以上の多角形である請求項１〜６の何れか１項記載の紙製包装容器。
【発明の詳細な説明】
【０００１】
【発明の属する技術分野】
本発明は、１枚のブランクを折り曲げて成形される紙製包装容器に関し、詳しくは、底面部と、該底面部の外周各辺から立ち上がる複数の側面部と、隣り合う側面部同士を連結する連結面部を備えた紙製包装容器における、連結面部を貼り着けた側面部の内側への倒れ込み防止構造の改良に関する。
【０００２】
【従来の技術】
従来、この種容器として、例えば特許文献１に記載されるように、折線によって折り曲げ可能な板状体（ブランク）からなり、ベース板状部（底面部）と、該ベース板状部を取り囲む第１折線を介して立ち上がる複数の側板状部（側面部）と、該側板状部間にわたるよう連設され中心にある第３折線によって区分された一対の三角形状をなす接着板状部（連結面部）を有し、該接着板状部を中心の第３折線において折り曲げるように外方に突き出し、側板状部に貼り着けて隣り合う側板状部を連結すると共に、側板状部に外方に向けて反り出す向きの力を生ずるよう、ベース板状部を取り囲む第１折線の中央側を側板状部の先端側に向けて離れ出すよう設けたものがある。
【０００３】
【特許文献１】
特開２０００−３３９３４号公報
【０００４】
【発明が解決しようとする課題】
前記した従来の容器は、接着板状部の押圧に抗して側板状部を外方に向けて反り出させることで、自動製函機において、先に成形されている容器に対し、次に成形される容器を順次に積み重ねる作業が円滑になされるようにし、当該容器の自動製函機による円滑な成形を容易ならしめんとするものである。
しかし乍ら、このような従来の容器では、自動製函機による成形の際、ベース板状部を取り囲む第１折線を、その中央側が側板状部の先端側に向けて離れ出すようにすることが困難である。
【０００５】
すなわち、前記従来の容器は、側板状部とベース板状部との間に備えられている第１折線を、その中央側が側板状部の先端側に向けて弧状若しくは山形状に離れ出すよう形成するものであるが、前記第１折線を自動製函機でもってこのように形成しようとすると、容器成形材料である板状体が単層の紙材のような芯を持たないものである場合は問題ないが、板紙や厚紙、段ボールのような芯を持つ板状体を用いた場合、前記第１折線が板状体に刻設され、その折癖により、側板状部が外方に向けて反り出さなくなる虞れがあった。
【０００６】
本発明はこのような従来事情に鑑みてなされたもので、その目的とする処は、１枚のブランクを折り曲げて成形される紙製包装容器において、先に成形されている容器に対し、次に成形される容器を上から順次積み重ねる（スタッキング）作業が円滑になされるようにするべく、連結面部の押圧に抗して側面部を外方に向けて反り出させるにあたり、その反り出しが、自動製函機により成形される容器であっても確実になされる新規な紙製包装容器を提供することにある。
【０００７】
【課題を解決するための手段】
以上の目的を達成するために本発明は、請求項１記載のように、１枚のブランク（Ｂ）を折り曲げて成形される紙製包装容器であって、底面部（１）と、該底面部（１）の外周各辺に折線（１ａ）を介して立ち上がる複数の側面部（２）と、該側面部（２）の側縁に折線（２ａ）を介して連設され、側面部（２）の外面に貼り着けて隣り合う側面部（２）同士を連結する連結面部（３，４）を備え、少なくとも、前記連結面部（３，４）が貼り着けられる側面部（２）の幅方向略中央に縦方向の折目（５）を刻設して該側面部（２）が外側へ反り出すよう形成したことを特徴とする。
【０００８】
このような構成とした場合、側面部（２）の幅方向略中央に縦方向の折目（５）を刻設するだけの簡単な構成の付加により、連結面部（３，４）が貼り着けられる側面部（２）を、該連結面部（３，４）の押圧に抗して外側へ反り出すようにすることができる。また、前記折目（５）は、ブランク（Ｂ）に予め刻設されるもので、容器成形の際に形成するものではないので、自動製函機による容器成形時に何等影響されることなく、ブランク（Ｂ）が厚紙や段ボールのような芯を持つ材料であったとしても、側面部（２）が外側へ反り出すようにすることができる。
【０００９】
また本発明の請求項２は、前記折目（５）の下端部（５’）を前記底面部の折線（１ａ）と離間して位置させると共に、該下端部（５’）と前記折線（１ａ）の両端角部（１ｃ，１ｃ）の間に折目（６，６）を刻設し、該折目（６，６）と前記折線（１ａ）とで囲まれる三角形状の区画面（７）により、前記側面部（２）に外側へ反り出す力が生じるよう形成したことを特徴とする。
【００１０】
このように形成した場合、区画面（７）を備えることにより、側面部（２）が外側へ反り出す状態を自然に生じさせることができ、請求項１による効果をより実効あるものとすることができる。加えて、区画面（７）が、容器を持つ際に使用者の指を添える指当て面として機能し、側面部（２）が平坦面である場合に比べ、使い易い（持ち易い）容器とすることができるなどの利点がある。
【００１１】
また本発明の請求項３は、前記底面部（１）の外周各辺の中間位置を外側へ突出させた中間頂角（１ｄ）を備え、該中間頂角（１ｄ）により、前記側面部（２）に外側へ反り出す力が生じるよう形成したことを特徴とする。
【００１２】
このように形成した場合、底面部（１）に中間頂角（１ｄ）を備えるよう折線（１ａ）を刻設するだけの簡単な構成の付加により、側面部（２）が外側へ反り出す状態を自然に生じさせることができ、請求項１による効果をより実効あるものとすることができる。
【００１３】
本発明の請求項４は、前記連結面部（３）が、隣り合う側面部（２，２）間にわたって連設され、且つ中央にある折線（３ａ）によって区分された一対の三角形状をなし、該連結面部（３，３）を折線（３ａ）において折り曲げるように重ねて外方へ突き出し且つ折り重ね状の連結面部（３，３）を折線（２ａ）に沿って折り曲げ、側面部（２）へ貼り着けて隣り合う側面部（２，２）同士を連結した紙製包装容器であることを特徴とする。
【００１４】
すなわち、本発明の請求項１〜３に係る紙製包装容器は、側面部（２）の外面に貼り着けて隣り合う側面部（２）同士を連結する連結面部（３，４）として、隣り合う側面部（２，２）のうち何れか一方の側面部（２）の側縁に折線（２ａ）を介して一枚の連結面部（４）を連設し、この連結面部（４）を、他方の側面部（２）の外面に貼り着けて隣り合う側面部（２，２）同士を連結した態様（連結面部が一枚ものである態様）と、隣り合う側面部（２，２）の双方の側縁間にわたって連結面部（３，３）を連設し、且つその連結面部（３，３）を、中央にある折線（３ａ）によって区分された一対の三角形状をなすようにし、該連結面部（３，３）を折線（３ａ）において折り曲げるように重ねて外方へ突き出し、且つ折り重ね状の二枚の連結面部（３，３）を折線（２ａ）に沿って折り曲げ、側面部（２）へ貼り着けて隣り合う側面部（２，２）同士を連結した態様（連結面部が二枚重ねたものである態様）との双方を含むものである。
連結面部の押圧による側面部の内側への倒れ込みは、連結面部が二枚重ねたものである場合の方がより生じ易く、よって、本発明は、請求項４の態様において特に顕著な効果を発揮するものである。
【００１５】
本発明の請求項５は、前記底面部（１）に、該底面部の中心（１ｂ）から外方へ向けて放射状となる折目（８）を刻設し、前記中心（１ｂ）が頂点となるよう前記折目（８）に沿って底面部（１）を容器内側へ凹ませて上げ底状に形成したことを特徴とする。
【００１６】
このような構成とした場合、容器をテーブル面等の載承面に載せた際、底面部の各角部（１ｃ，１ｃ・・・）のみが載承面に接触して容器が支持されるので、容器の安定性が向上すると共に、載承面との間での熱伝導性が小さくなり、保温機能の向上が期待できる。また、容器内に食品などを収容して電子レンジにより加熱する場合、電子レンジ内の載承面との間での熱伝導性が小さくなるなどの理由から、短時間で加熱が行えるなどの効果が期待できる。
【００１７】
本発明の請求項６は、前記折目（８）が、前記底面部の中心（１ｂ）から前記中間頂角（１ｄ）にわたって形成されていることを特徴とする。
【００１８】
このような構成とした場合、底面部の中心（１ｂ）が内側へ押し込まれる力を生じさせるだけで上げ底状の底面部を得ることができるので、紙製包装容器の自動製函機による成形が容易になり、従来に比べより迅速な自動成形を可能としつつ、上げ底状の紙製包装容器が得られるなどの利点がある。
【００１９】
本発明に係る紙製包装容器の形状は特に限定されるものではないが、例えば、底面部（１）が三角形状である略三角柱型、底面部（１）が四角形状である略四角柱型、その他、底面部（１）が五角形状以上の多角柱型など、各種形状の紙製包装容器とすることができる。
【００２０】
【発明の実施の形態】
以下、本発明に係る紙製包装容器の実施形態の例を図面に基づいて説明する。
図１に示す紙製包装容器Ａは、本発明の請求項１に係るもので、１枚のブランクＢの要所の折り曲げと貼り着けにより、容器の底面部１、該底面部１の外周各辺に折線１ａを介して立ち上げる複数の側面部２、隣り合う側面部２同士の側縁に折線２ａを介して連設される連結面部３，３などを形成して、上面が開口する略三角柱形状の容器として成形されている。
【００２１】
上記ブランクＢは、例えば板紙や厚紙又は段ボールなどの所定の強度を有する（芯を持つ）紙製基材からなり、必要に応じて表面が耐水加工されたものを使用し、所要形状に裁断されたブランクＢの中心に底面部１を配置すると共に、その外周各辺に折線１ａを介して複数の側面部２が連設されている。
本例の場合には図２に示す如く、ブランクＢの中心に三角形状である底面部１を配置すると共に、その外周三辺に折線１ａを介して三つの側面部２が連設されている。側面部２は、前記折線１ａから上縁２ｂに向けて漸次幅広となるよう形成されている。
【００２２】
また本例では、隣り合う側面部２の側縁の折線２ａ間にわたって連設された連結面部３，３を有し、これら連結面部３同士は、中央にある折線３ａによって区分された一対の三角形状をなし、該連結面部３，３を折線３ａにおいて折り曲げるように重ねて外方へ突き出し、その折り重ねた連結面部３，３を折線２ａに沿って折り曲げ側面部２へ貼り着けることで、隣り合う側面部２，２同士が連結されている。
【００２３】
尚、隣り合わせる側面部２，２同士を連結する手段はこれに限定されず、図３に示すように、隣り合う側面部２，２における一方の側面部２の側縁のみに折線２ａを介して連結面部４を連設し、該連結面部４を折線２ａに沿って折り曲げ他方の側面部２の外面に貼り着けて、隣り合わせる側面部２同士を連結しても良い。
【００２４】
前記各側面部２には、その幅方向略中央に縦方向の折目５を刻設することで、貼り着けられた連結面部３，３若しくは連結面部４の押圧により内側へ倒れ込むこと無く、該側面部２が外側へ反り出すよう形成されている。
本例においては、折り重ねた各連結面部３，３を折線２ａに沿って同一方向へ折り曲げて側面部２の外面に貼り着けているので、全ての側面部２に連結面部３，３が貼り着けられるようになり、よって、全ての側面部２に折目５が刻設されている。
【００２５】
このような構成になる本例の紙製包装容器は、図１に示す組み立て状態（成形状態）において、折り重なる連結面部３，３が側面部２に貼り着けられているので、収容物が液状物や流動物であっても、隣り合わせる側面部２，２間から漏れ出すような虞れが無い。
【００２６】
また、側面部２に折目５を追加するだけの簡単な構成で、貼り着けた連結面部３，３の押圧に抗して側面部２を外側へ反り出し、該側面部２の内側への倒れ込みを防止することができる。
よって、先に成形されている容器に対し、次に成形される容器を上から順次積み重ねる（スタッキング）作業が円滑になされるようになり、自動製函機により容易且つ迅速に自動成形し得る紙製包装容器とすることができる。
【００２７】
図４，図５に示す紙製包装容器Ａは、本発明の請求項１に係り、図１，図２に示す紙製包装容器において、底面部１の形状を四角形状としたものである。
すなわち、この例では、四角形状の底面部１の外周四辺に折線１ａを介して四つの側面部２を連設すると共に、折り重ねた各連結面部３，３を折線２ａに沿って相対する方向へ折り曲げて、相対向する一対の側面部２の外面に貼り着けている。よって、前記折目５は、相対向する二つの側面部２のみに刻設されている。
【００２８】
従って、この例においても、貼り着けた連結面部３，３の押圧に抗して側面部２を外側へ反り出し、該側面部２の内側への倒れ込みを防止して、自動製函機により容易且つ迅速に自動成形し得る紙製包装容器とすることができる。
それ以外の構成、作用効果は図１，図２に示した例と基本的に同様のため、重複する図示、説明は省略する。
【００２９】
図６，図７に示す例は、本発明の請求項２に係り、図１，図２に示す紙製包装容器において、側面部２に区画面７を追加したものである。
すなわち、この例の紙製包装容器Ａは、前記折目５の下端部５’を底面部外周の折線１ａと離間して位置させると共に、該下端部５’と前記折線１ａの両端にある角部１ｃ，１ｃとの間に折目６，６を刻設し、該折目６，６と前記折線１ａとで囲まれる三角形状の区画面７により、前記側面部２に外側へ反り出す力が自然に生じるよう形成されている。
【００３０】
従って、この例においては、貼り着けた連結面部３，３の押圧に抗して側面部２が自然に外側へ反り出し、該側面部２の内側への倒れ込みをより確実に防止して、自動製函機による自動成形をより容易且つ迅速なものとし得る紙製包装容器とすることができる。
また、ブランクＢを成形する際、側面部２に折目６，６を刻設するだけの簡単な構成で、側面部２に外側へ反り出す力が自然に生じるようにして、前記した効果を得ることができる。
またこの例では、区画面７が、容器を持つ際に使用者の指を添える指当て面として機能し、側面部２が平坦面である場合に比べ、使い易いなどの利点がある。
処で、前記ブランクＢに段ボール等の板紙を用いた場合、該ブランクＢには紙材の目１００が入るようになるが、この目１００が、縦方向若しくは横方向の折線１ａ，２ａなどと略平行若しくは略直交する方向にあると、この目１００と平行になる折線は折れ易く、直交する折線は折れ難くなる。よって、この種紙製包装容器に用いるブランクＢにおいては、各図中に示すように、前記目１００が縦方向若しくは横方向の折線１ａ，２ａに対し所定の角度をもって交差するように配慮されている。このため、容器の成形若しくは使用中に、その目１００に沿って折目が入り見栄えが悪くなる虞れがある。これに対しこの例では、側面部２に折目６が予め刻設されていることで、前記目１００に沿って折目が入ることを可及的防止し得るという利点がある。
尚、前記区画面７の大きさは、該区画面７の底辺となる両端角部１ｃ，１ｃ間を結ぶ線ｘ（この例では折線１ａ）と、該線ｘの中間点から折目５の下端部５’を結ぶ線ｙとの比率が、ｘ：ｙ＝１０：３以上となることが好ましく、図示例の形状の紙製包装容器Ａでは、ｘ：ｙ＝１０：５程度であることが好ましい。
それ以外の構成、作用効果は前述した例と基本的に同様のため、重複する図示、説明は省略する。
【００３１】
図８，図９に示す例は、本発明の請求項２に係り、図４，図５に示す紙製包装容器において、側面部２に区画面７を追加したものである。
すなわち、この例の紙製包装容器Ａは、連結面部３，３が貼り着けられた相対向する二つの側面部２に刻設した折目５の下端部５’を折線１ａと離間して位置させると共に、該下端部５’と前記折線１ａの両端にある角部１ｃ，１ｃとの間に折目６，６を形成し、該折目６，６と前記折線１ａとで囲まれる三角形状の区画面７により、前記側面部２に外側へ反り出す力が自然に生じるよう形成されている。
【００３２】
従って、この例においても、貼り着けた連結面部３，３の押圧に抗して側面部２が自然に外側へ反り出し、該側面部２の内側への倒れ込みをより確実に防止して、自動製函機による自動成形をより容易且つ迅速なものとし得る紙製包装容器とすることができる。また、区画面７が、容器を持つ際に使用者の指を添える指当て面として機能し、側面部２が平坦面である場合に比べ、使い易いなどの利点がある。
それ以外の構成、作用効果は前述した例と基本的に同様のため、重複する図示、説明は省略する。
【００３３】
図１０，図１１に示す例は、本発明の請求項３に係り、図１，図２に示す紙製包装容器において、底面部１に中間頂角１ｄと折目８を追加したものである。
すなわちこの例の紙製包装容器Ａは、前記底面部１が、三角形の外周三辺の中間位置を外側へ突出させた中間頂角１ｄを備えると共に、折目５の下端部５’がその中間頂角１ｄに接するよう形成し、その中間頂角１ｄにより、側面部２に各折目５が頂点となる外側へ反り出す力が自然に生じるように形成されている。
【００３４】
また、この例の紙製包装容器Ａは、前記底面部１に、該底面部の中心１ｂから各中間頂角１ｄにわたって放射状（Ｙ字形状）となる折目８を形成し、前記中心１ｂが頂点となるようその折目８に沿って底面部１を容器の内側へ凹ませて上げ底状に形成されている。
【００３５】
従って、この例においても、貼り着けた連結面部３，３の押圧に抗して側面部２が自然に外側へ反り出し、該側面部２の内側への倒れ込みをより確実に防止して、自動製函機による自動成形をより容易且つ迅速なものとし得る紙製包装容器とすることができる。
また、ブランクＢを成形する際、底面部１に中間頂角１ｄを追加するべく折線１ａを刻設するだけの簡単な構成で、側面部２に外側へ反り出す力が自然に生じるようにして、前記した効果を得ることができる。
【００３６】
またこの例では、底面部１に、その中心１ｂから各中間頂角１ｄにわたる放射状の折目８を形成したので、自動製函機による容器の自動成形過程において、底面部１の中心１ｂが容器内側へ向けて押される力が生じるようにするだけで、底面部１が折目８に沿って自然に凹み、上げ底状の紙製包装容器を容易且つ確実に得ることができる。
よって、この紙製包装容器Ａを、例えばテーブルなどの平坦面に載せた際、底面部１の各角部１ｃ，１ｃ・・・のみが夫々接触してガタ付くことがなく、使用時の安定性を向上できる。さらに、容器の保温効果の向上などをも目的として、前記のような上げ底状とするにあたり、容器の自動成形時において容易に成形することができるなどの利点がある。
尚、このように上げ底状の容器とすることは、食品などを収容して電子レンジにより加熱する場合、電子レンジ内の載承面との間での熱伝導性が小さくなるなどの理由から、短時間で加熱が行えるなどの効果が期待できる。
上げ底の度合いとしては、底面部１の隣り合わせる角部１ｃ，１ｃ間を結ぶ線ｘ（この例では仮想の線ｘ）と、該線ｘの中間点から折目５の下端部５’を結ぶ線ｙとの比率が、ｘ：ｙ＝１０：３以上となることが好ましく、図示例の形状の紙製包装容器Ａでは、ｘ：ｙ＝１０：５程度であることが好ましい。
それ以外の構成、作用効果は前述した例と基本的に同様のため、重複する図示、説明は省略する。
【００３７】
図１２，図１３に示す例は、本発明の請求項３に係り、図４，図５に示す紙製包装容器において、底面部１に中間頂角１ｄと折目８を追加したものである。
すなわちこの例の紙製包装容器Ａは、前記底面部１が、四角形の外周四辺の中間位置を外側へ突出させた中間頂角１ｄを備え、折目５の下端部５’がその中間頂角１ｄに接するよう形成し、その中間頂角１ｄにより、側面部２に各折目５が頂点となる外側へ反り出す力が自然に生じるように形成されている。
【００３８】
また、この例の紙製包装容器Ａは、前記底面部１に、該底面部の中心１ｂから各中間頂角１ｄにわたって放射状（十字形）となる折目８を形成し、前記中心１ｂが頂点となるようその折目８に沿って底面部１を容器の内側へ凹ませて上げ底状に形成されている。
【００３９】
従って、この例においても、貼り着けた連結面部３，３の押圧に抗して側面部２が自然に外側へ反り出し、該側面部２の内側への倒れ込みをより確実に防止して、自動製函機による自動成形をより容易且つ迅速なものとし得る紙製包装容器とすることができる。
また、ブランクＢを成形する際、底面部１に中間頂角１ｄを追加するべく折線１ａを刻設するだけの簡単な構成で、側面部２に外側へ反り出す力が自然に生じるようにして、前記した効果を得ることができる。
【００４０】
またこの例でも、底面部１に、その中心１ｂから各中間頂角１ｄにわたる放射状の折目８を形成したので、自動製函機による容器の自動成形過程において、底面部１の中心１ｂが容器内側へ向けて押される力が生じるようにするだけで、底面部１が折目８に沿って自然に凹み、上げ底状の紙製包装容器を容易且つ確実に得ることができる。
それ以外の構成、作用効果は、前述した例と基本的に同様のため、重複する説明、図示は省略する。
【００４１】
図１４，図１５に示す例は、本発明の請求項３に係り、図１２，図１３に示す紙製包装容器において、側面部２に区画面９を追加したものである。
すなわち、この例では、底面部１の中間頂角１ｄにより、側面部２に外側へ反り出す力が自然に生じるようにすると共に、側面部２の左右側縁の折線２ａの中間部から、底面部１の中間頂角１ｄにわたり折目１０，１０を刻設し、これら折目１０，１０と折線１ａ，折線２ａで囲まれる三角形の区画面９を、側面部２の左右両側の下部に形成したものである。
【００４２】
この例によれば、区画面９，９が、容器を持つ際に使用者の指を添える指当て面として機能し、側面部２が平坦面である場合に比べ、使い易いなどの利点がある。また、折目１０，１０が、前記折目６と同様の効果を奏する。
それ以外の構成、作用効果は前述した例と基本的に同様のため、重複する図示、説明は省略する。
【００４３】
尚、前述した各例において、折目５を刻設する側面部２は、連結面部３，４を貼り着ける側面部２のみに限定されず、連結面部３，４を貼り着けない側面部２にも刻設しても良く、任意である。
【００４４】
また、図４〜図１５に示す各例においても、図３に示すように、隣り合う側面部２の一方の側縁のみに連結面部４を連設し、該連結面部４を他方の側面部２の外面に貼り着けて、隣り合わせる側面部２同士を連結しても良いことは言うまでもない。
【００４５】
以上、本発明の実施形態の例を図面を参照して説明したが、本発明に係る紙製包装容器は図示例に限定されず、特許請求範囲の各請求項に記載された技術的思想の範疇において種々の変更が可能であることは言うまでもない。
【００４６】
【発明の効果】
本発明に係る紙製包装容器は以上説明したように構成したので、以下の効果を奏する。
【００４７】
（請求項１）
ブランク（Ｂ）に折目（５）を刻設するだけの極めて簡単且つ低コストな手段で、側面部（２）の内側への倒れ込みを防止して、連結面部（３，４）の押圧に抗して側面部（２）を外側へ反り出すようにすることができる。また、折目（５）は、ブランク（Ｂ）に予め刻設されるもので、容器成形の際に形成するものではないので、自動製函機による容器成形時に何等影響されることなく、ブランク（Ｂ）が厚紙や段ボールのような芯を持つ材料であったとしても、側面部（２）が外側へ反り出すようにすることができる。
従って、ブランク（Ｂ）の素材に影響することなく、自動製函機による自動成形に極めて有効な紙製包装容器を提供できた。
【００４８】
（請求項２，３）
三角形状の区画面（７）又は底面部の中間頂角（１ｄ）を備えることで、側面部（２）が自然に外側へ突出するようになるので、請求項１の効果をより実効あるものとし得る。
また、三角形状の区画面（７）が容器を持つ際に使用者の指を添える指当て面として機能し、使い易い容器とすることができるなどの効果がある。
【００４９】
（請求項４）
請求項１〜３の効果に加え、折り重ねた連結面部（３，３）を側面部（２）に貼り着けて隣り合わせる側面部（２，２）同士を連結したので、収容物が液状物や流動物であっても、隣り合わせる側面部（２，２）間から漏れ出すような虞れが無く、例えば食品収容用の容器として好適に用いることができるなどの効果がある。
【００５０】
（請求項５）
底面部（１）を折目（８）によって内側へ凹ませることにより、容器をテーブルなどに載せた際の安定性を向上できると共に、内容物の保温効果が向上し、さらに、電子レンジでの加熱調理などが短時間で行えるなどの効果が期待できる。
【００５１】
（請求項６）
底面部の中心（１ｂ）を内側に押し込む力を生じさせるだけで、請求項５の効果を有する上げ底状の容器とすることができ、自動製函機による自動成形に極めて有用であるなどの効果がある。
【００５２】
（請求項７）
請求項１〜６の効果を有する紙製包装容器を、底面部（１）が三角形状，四角形状，五角形以上の多角形状の紙製包装容器として提供することができる。
【図面の簡単な説明】
【図１】本発明に係る紙製包装容器の実施形態の一例を示す斜視図。
【図２】図１に係る紙製包装容器の展開斜視図。
【図３】図１に係る紙製包装容器の変形例の展開斜視図。
【図４】本発明に係る紙製包装容器の実施形態の他例を示す斜視図。
【図５】図４に係る紙製包装容器の展開斜視図。
【図６】本発明に係る紙製包装容器の実施形態の他例を示す斜視図。
【図７】図６に係る紙製包装容器の展開斜視図。
【図８】本発明に係る紙製包装容器の実施形態の他例を示す斜視図。
【図９】図８に係る紙製包装容器の展開斜視図。
【図１０】本発明に係る紙製包装容器の実施形態の他例を示す斜視図。
【図１１】図１０に係る紙製包装容器の展開斜視図。
【図１２】本発明に係る紙製包装容器の実施形態の他例を示す斜視図。
【図１３】図１２に係る紙製包装容器の展開斜視図。
【図１４】本発明に係る紙製包装容器の実施形態の他例を示す斜視図。
【図１５】図１４に係る紙製包装容器の展開斜視図。
【符号の説明】
Ａ：紙製包装容器
Ｂ：ブランク
１：底面部
１ａ，２ａ，３ａ：折線
１ｂ：中心
１ｃ：角部
１ｄ：中間頂角
２：側面部
３，４：連結面部
５，６，８，１０：折目
７，９：区画面
【図１】
2004345721.tif 000003
【図２】
2004345721.tif 000004
【図３】
2004345721.tif 000005
【図４】
2004345721.tif 000006
【図５】
2004345721.tif 000007
【図６】
2004345721.tif 000008
【図７】
2004345721.tif 000009
【図８】
2004345721.tif 000010
【図９】
2004345721.tif 000011
【図１０】
2004345721.tif 000012
【図１１】
2004345721.tif 000013
【図１２】
2004345721.tif 000014
【図１３】
2004345721.tif 000015
【図１４】
2004345721.tif 000016
【図１５】
2004345721.tif 000017